(57)【要約】【課題】  ユーザに対して、光ディスクの拭き取りの要否を適切に指示し、特に、ハードコート処理されたディスクの拭き取りの要否を適切なタイミングで指示する。【解決手段】  ディスク（光ディスク）１００の再生を行うための記録再生装置１１０において、光ピックアップ１１１が読み取ったディスクの所定の情報領域に記録されている情報に基づいて、ハードコート有無判別部１１６が、ディスク表面にハードコート処理が施されているか否かの判別を行う。ハードコート処理が施されている場合には、閾値設定部１１７が、ハードコート処理されているディスク用の閾値を設定する。また、汚損検査部１１９が、ディスク表面に存在する汚損の検査を行って、汚損の大きさを計算する。そして、比較部１２０が、上記の閾値とディスク表面の汚損の大きさとの比較を行い、閾値以上の大きさの汚損が存在する場合には、ディスクの拭き取りが必要な旨がユーザに報知される。【選択図】  図１
2006172602.tif 000002
【特許請求の範囲】
【請求項１】
情報再生用又は情報記録再生用の光ディスクであって、
情報の記録又は再生を行う際の光入射面にハードコート処理が施されているか否かを判別可能とする情報が記録される情報領域を有する光ディスク。
【請求項２】
光ディスクに格納されている情報の再生を行うディスク再生装置、又は、光ディスクに情報を記録するとともに光ディスクに格納されている情報の再生を行うディスク記録再生装置であって、
光によって、前記光ディスクに格納されている情報を読み取る情報読み取り部と、
前記情報読み取り部によって前記光ディスクの所定の情報領域から読み取られた情報に基づいて、前記光ディスクの光入射面にハードコート処理が施されているか否かを判別するハードコート有無判別手段と、
前記光ディスクの前記光入射面に存在する汚損の検査を行う汚損検査手段と、
前記ハードコート有無判別手段による判別結果、及び前記汚損検査手段による前記汚損の検査結果に基づいて、前記光ディスクの前記光入射面の拭き取りの要否を決定する拭き取り要否決定手段と、
前記拭き取り要否決定手段で決定された前記光ディスクの前記光入射面の拭き取りが必要である旨を報知する報知手段とを、
有するディスク再生装置又はディスク記録再生装置。
【発明の詳細な説明】
【技術分野】
【０００１】
本発明は、情報を再生又は記録再生するための可搬性の情報再生用又は情報記録再生用の光ディスク、並びに、光ディスクに格納されている情報の再生を行うディスク再生装置、又は、光ディスクに情報を記録するとともに光ディスクに格納されている情報の再生を行うディスク記録再生装置に関し、特に、カートリッジなどによって保護されておらず、ユーザが表面に直接手を触れる光ディスク、並びに、この光ディスクに格納されている情報の再生又は記録再生を行うディスク再生装置又はディスク記録再生装置に関する。
【背景技術】
【０００２】
現在、光ディスクでは、ＣＤ（Compact Disc）やＤＶＤ（Digital Versatile Disc）などの情報格納用ディスク（記録媒体、記録メディア）が広く普及しており、また、Ｂｌｕ−ｒａｙ Ｄｉｓｃ（登録商標、以下、ＢＤと記載する）やＨＤ ＤＶＤ（High Definition DVD）などの情報格納用ディスクの開発及び実用化が進められている。なお、上記の光ディスクには、再生のみが可能な再生専用ディスクと、記録及び再生が可能な記録再生用ディスクとが存在している。これらの情報格納用ディスク（以下、単にディスクと記載することもある）の多くは、カートリッジなどの保護部材によって保護されておらず、ユーザが、ディスク表面（記録光又は再生光が入射する読み取り面）を直接手で触れて取り扱うような裸ディスク（ベアディスク）タイプである。また、現行のＢＤは、カートリッジによって保護されているカートリッジタイプのものがほとんどであるが、将来的には、ベアディスクへの移行が提案されている。
【０００３】
こうした情報格納用ディスクは、ディスク表面に付いた傷、ごみ、ほこり、指紋、汚れなどによって、情報の記録再生に大きな影響が生じる。なお、本明細書では、ディスク表面に付着する傷、ごみ、ほこり、指紋、汚れなどを汚損と呼ぶことにする。例えば、情報の記録時には、ディスク表面の汚損の影響によって記録マークが劣化した状態で情報の記録が行われてしまい、正確な情報をディスクに格納することができなくなるとともに、情報の再生時には、ディスクに格納された情報を、ディスク表面の汚損の影響を受けた劣化した再生光で読み取ることになり、情報の読み取りが正確に行われなくなる。したがって、ディスク表面に付いた汚損の影響は、情報の再生時に対して、情報の記録時に大きく現れると言うことができる。
【０００４】
一方、例えば、下記の特許文献１に記載されているように、ディスク表面に特殊なコーティング処理（ハードコート処理）を施すことによって、特に、ディスク表面に傷が付きにくいようにする技術が存在する。特許文献１に開示されているディスクは、ポリカーボネート樹脂を射出成形して形成されるディスク基板と、カチオン重合硬化性化合物を含むハードコート剤組成物の硬化物からなるハードコート層と、防汚及び／又は潤滑機能を有するカチオン重合硬化性化合物を含む表面層用材料の硬化物からなる防汚表面層とが積層されて固着された構造を有している。なお、ハードコート処理は、特許文献１に開示されている技術に限定されるものではなく、本明細書では、ディスク表面に所定の硬度を与えることを目的として行われるコーティング処理全般を、ハードコート処理と呼ぶ。
【０００５】
また、上記の各種光ディスクのうち、特に、ＢＤは透明保護層の厚みが薄く、ディスク表面の汚損による影響が大きいという欠点があり、この欠点を補うため、ベアディスク化の際には、ハードコート処理を施すことが必須であると考えられている。なお、多くの光ディスクがハードコート処理されておらず、一部の光ディスクのみがハードコート処理されているのが現状である。
【特許文献１】特開２００３−３１５５０３号公報（図１、２）
【発明の開示】
【発明が解決しようとする課題】
【０００６】
しかしながら、特許文献１には、傷から保護するためのハードコート層と、汚れから保護するための防汚表面層とをディスク表面に形成しているが、通常のユーザの使用形態を考慮すると、特に、ディスク表面にごみや指紋が付着してしまうことは避けられず、付着したごみや指紋に関しては、適宜、ユーザ自身によって拭き取ってもらうことになる。
【０００７】
ハードコート処理が施されたディスク表面は、ハードコート層の作用により、ユーザの拭き取り行為で傷が付いてしまうという可能性が低減されており、すなわち、ハードコート処理が施されているディスクは、非ハードコート処理のディスクに比べて、ユーザによる拭き取り行為が推奨されていると言うことができる。
【０００８】
ところが、ユーザは、上述のようにハードコート処理が施されているディスクが少ないせいもあり、ハードコート処理の有無に対して無頓着であることが多い。この結果、ユーザが非ハードコート処理のディスクを不用意に拭いて、傷を付けてしまったり、ハードコート処理のディスクであるにもかかわらず、傷が付いてしまうことを恐れて、ディスクの拭き取り行為を行わなかったりするなど、ディスクの拭き取りの要否を十分に把握できていないという課題が存在する。
【０００９】
また、ユーザの拭き取り行為は、決して簡単なものではなく、個々のユーザによって、ディスクの拭き取り技術に大きな差がある。したがって、例えば、ディスクの拭き取りが不要（すなわち、情報の記録再生に影響を及ぼさない程度の汚損が付着している場合）であるにもかかわらず、ユーザが拭き取り行為を行ってしまい、かえって、ディスク表面に小さなごみなどを付着させてしまう場合も生じ、単純に、ユーザに対して常に拭き取り行為を行うように指示するだけでは、結果的に、ディスクの記録再生に悪影響を及ぼす汚損の付着を助長してしまうことになりかねないという課題が存在する。
【００１０】
上記の課題に鑑み、本発明は、ユーザに対して、ディスクの拭き取りの要否を適切に指示することを可能とする光ディスク並びにディスク再生装置又はディスク記録再生装置を提供することを目的とする。
【課題を解決するための手段】
【００１１】
上記目的を達成するため、本発明によれば、情報再生用又は情報記録再生用の光ディスクであって、
情報の記録又は再生を行う際の光入射面にハードコート処理が施されているか否かを判別可能とする情報が記録される情報領域を有する光ディスクが提供される。
【００１２】
また、上記目的を達成するため、本発明によれば、光ディスクに格納されている情報の再生を行うディスク再生装置、又は、光ディスクに情報を記録するとともに光ディスクに格納されている情報の再生を行うディスク記録再生装置であって、
光によって、前記光ディスクに格納されている情報を読み取る情報読み取り部と、
前記情報読み取り部によって前記光ディスクの所定の情報領域から読み取られた情報に基づいて、前記光ディスクの光入射面にハードコート処理が施されているか否かを判別するハードコート有無判別手段と、
前記光ディスクの前記光入射面に存在する汚損の検査を行う汚損検査手段と、
前記ハードコート有無判別手段による判別結果、及び前記汚損検査手段による前記汚損の検査結果に基づいて、前記光ディスクの前記光入射面の拭き取りの要否を決定する拭き取り要否決定手段と、
前記拭き取り要否決定手段で決定された前記光ディスクの前記光入射面の拭き取りが必要である旨を報知する報知手段とを、
有するディスク再生装置又はディスク記録再生装置が提供される。
【発明の効果】
【００１３】
本発明は、上記の構成を有しており、ユーザに対して、ディスクの拭き取りの要否を適切に指示することができるという効果を有している。また、本発明は、特に、拭き取り可能なハードコート処理されたディスクの利点を十分に活用し、ハードコート処理が施されたディスクの拭き取りの要否を適切なタイミングで指示することができるという効果を有している。
【発明を実施するための最良の形態】
【００１４】
以下、図面を参照しながら、本発明の実施の形態について説明する。図１は、本発明の実施の形態に係る記録再生装置の構成例を示すブロック図である。図１に図示されている記録再生装置１１０は、光ピックアップ１１１、サーボ信号処理部１１２、信号記録回路１１３、信号再生回路１１４、メディア種類判別部１１５、ハードコート有無判別部１１６、閾値設定部１１７、閾値格納部１１８、汚損検査部１１９、比較部（拭き取り要否決定部）１２０、報知部１２１を有している。なお、例えば、記録再生装置１１０は、他に、制御回路を始めとする様々な構成要素を有しているが、ここでは、図示省略する。
【００１５】
図１に図示されている光ピックアップ１１１は、ディスク１００上に記録された信号の読み取りや書き込みを行う機能を有しており、例えば、レンズや受光素子、半導体レーザなどにより構成されている。なお、光ピックアップ１１１は、ディスク１００の種類に応じて、異なる特性を備えている。また、サーボ信号処理部１１２は、ディスク１００と光ピックアップ１１１との距離を一定に保つフォーカスサーボ制御、ディスク１００上のピットに対する光ピックアップ１１１の追従制御を行うトラッキングサーボ制御、ディスク１００の径方向に対する光ピックアップ１１１の移動制御を行うフィードサーボ制御などを始めとする光ピックアップ１１１の動作制御を行うための機能を有している。
【００１６】
また、信号記録回路１１３は、記録再生装置１１０で処理された記録データをディスク１００に書き込むための信号に変換する機能を有しており、信号再生回路１１４は、ディスク１００から読み出された信号を記録再生装置１１０で再生するための再生データに変換する機能を有している。
【００１７】
また、メディア種類判別部１１５は、ディスク１００の所定の情報領域から読み出された情報に基づいて、ディスク１００の種類（上述したＣＤ、ＤＶＤ、ＢＤ、ＨＤ ＤＶＤ）や、ディスク１００が再生専用であるか記録再生用であるかを示す情報などを判別する機能を有している。メディア種類判別部１１５で判別されたディスク１００の種類などの判別結果は、閾値設定部１１７に供給される。
【００１８】
また、ハードコート有無判別部１１６は、少なくともディスク１００から読み出された情報（後述のハードコート情報領域内のフラグや他の判別情報）に基づいて、ディスク１００にハードコートが施されているか否かを判別する機能を有している。ハードコート有無判別部１１６で判別されたハードコートの有無に係る情報は、閾値設定部１１７に供給される。なお、ハードコートの有無の判別に関しては、後で図５を参照しながら説明する。
【００１９】
また、閾値設定部１１７は、メディア種類判別部１１５から受けるディスク１００の種類などの判別結果、ハードコート有無判別部１１６から受けるハードコートの有無に係る情報、記録再生装置１１０のモード設定部（不図示）から受けるモード情報（再生モードか記録モードかを示す情報）などの様々な条件に基づいて、ディスク１００の拭き取りの要否を判定するための基準となる閾値を決定する機能を有している。閾値設定部１１７で設定された閾値は、比較部１２０に供給される。
【００２０】
また、閾値格納部１１８は、閾値設定部１１７で様々な条件に対応して設定される閾値の値を格納しておく機能を有しており、閾値設定部１１７は、上記の条件をチェックして、その条件に当てはまる閾値を閾値格納部１１８から読み出して、この閾値を比較部１２０に供給する。
【００２１】
また、汚損検査部１１９は、ディスク表面における汚損の存在や汚損の大きさをチェックする機能を有している。汚損検査部１１９における汚損の検査結果は、比較部１２０に供給される。なお、汚損の検査に係る詳細に関しては、後述する。
【００２２】
また、比較部１２０は、閾値設定部１１７から受ける閾値と、汚損検査部１１９から受ける汚損の検査結果（例えば、汚損の大きさ）との比較を行い、ディスク表面の拭き取りの必要性を決定する機能を有している。比較部１２０による比較結果（ディスク表面の拭き取りの要否）は、報知部１２１に供給される。
【００２３】
また、報知部１２１は、ユーザに対して画像による報知を行う表示部や、音声による報知を行う音声出力部などであり、具体的には、ディスク１００に記録されている映像情報を表示するためのモニタや、音声情報を出力するためのスピーカである。
【００２４】
次に、図２を参照しながら、図１に示す記録再生装置１１０において行われる動作について説明する。図２は、本発明の実施の形態における動作の一例を示すフローチャートである。
【００２５】
記録再生装置１１０は、例えばディスク１００のローディングを行う際に、フォーカスサーボやトラッキングサーボをロックするとともに、ディスク１００の所定の情報領域から、ディスク１００の種類や、再生専用ディスク又は記録再生用ディスクであることを示す情報を読み取る（ステップＳ２０１：フォーカスサーボ、トラッキングサーボのロック／ディスクの種類を判別）。なお、以下の動作は、必ずしもディスク１００のローディング時に行われる必要はなく、例えば、ユーザによってディスク表面の検査要求の操作が行われた場合や、記録再生装置１１０において再生モードと記録モードとの間で変更が行われた場合、あるいは、その他の任意のタイミングで行われてもよい。
【００２６】
続いて、記録再生装置１１０のハードコート有無判別部１１６は、ディスク１００にハードコート処理が施されているか否かを判別する（ステップＳ２０２：ハードコートの有無）。なお、ディスク１００にハードコート処理が施されているか否かを判別する処理の詳細に関しては、後で、図５を参照しながら説明する。
【００２７】
そして、ステップＳ２０２において、ディスク１００にハードコート処理が施されていると判断された場合には、記録再生装置１１０の閾値設定部１１７は、このディスク１００に対する閾値ＴＨをＴＨ＝ＴＨ＿Ａに設定し（ステップＳ２０３：閾値ＴＨ＝ＴＨ＿Ａに設定）、ディスク１００にハードコート処理が施されていないと判断された場合には、このディスク１００に対する閾値ＴＨをＴＨ＝ＴＨ＿Ｂに設定する（ステップＳ２０４：閾値ＴＨ＝ＴＨ＿Ｂに設定）。なお、ハードコート処理が施されていないディスク１００は、ディスク表面の拭き取りが推奨されているものではないとして、そのまま動作を終了してもよい。
【００２８】
また、ＴＨ＿ＡとＴＨ＿Ｂとの関係は、ＴＨ＿Ａ＜ＴＨ＿Ｂとすることが望ましい。後述のように、ディスク１００の記録再生時に問題を起こす可能性のある汚損の大きさは、通常、０．３〜０．６ｍｍ程度であり、例えば、ＴＨ＿Ａ＝０．３、ＴＨ＿Ｂ＝０．５とすることが可能である。また、ディスク１００の種類に応じて異なるＴＨ＿ＡやＴＨ＿Ｂの値を設定することも可能である。
【００２９】
次に、記録再生装置１１０の汚損検査部１１９は、ディスク表面に関して、汚損の検査を行う（ステップＳ２０５：ディスク表面の検査）。この汚損の検査方法に関しては、任意の方法が利用可能であるが、以下では、短時間で検査を行う方法の一例について説明する。
【００３０】
本発明で注目しているのは、ディスク表面に存在する傷、ごみ、汚れなどの汚損である。光ピックアップ１１１の出射光は、ディスク表面から透過層の厚み分だけ深い箇所に集光点を有しており、ディスク表面は、比較的大きな直径の光ビームが透過することになる。したがって、光ビームがディスク表面に比較的大きな直径の光投射箇所を形成するため、ディスク表面を検査する際に、光ピックアップ１１１の走査の刻みをある程度大きくした場合でも、検査対象としている汚損を見落とすことはない。また、ディスク１００の記録再生時に問題を起こす可能性のある汚損の大きさは、通常、０．３〜０．６ｍｍ程度である。
【００３１】
以上の事柄より、ディスク表面の汚損を検査する際の走査の半径方向のピッチは、例えば、０．１５〜０．３ｍｍとすることができる。この場合、ディスク１００の読み取り面全体の検査のための走査に要する時間（検査時間）は、約３〜６秒程度となる。この程度の検査時間であれば、実用的に、使用者に待ってもらうことが可能であり、例えば、ディスク１００のローディング時に、処理時間としてユーザに待ってもらうことのできる許容時間内に、ディスク１００の表面の検査を行うことが十分に可能である。なお、ディスク１００の表面の検査では、例えば、反射光量の落ち込み時間の長さを測り、この落ち込み時間を実寸に換算することによって、汚損の大きさを計算することが可能である。
【００３２】
ステップＳ２０５のディスク表面の検査では、ディスク表面に付着している汚損の大きさの値が、検査結果ＣＨＫとして得られる。この検査結果ＣＨＫの値としては、例えば、ディスク表面の検査によって発見された汚損のうちで最大の汚損の大きさが設定される。
【００３３】
そして、記録再生装置１１０の比較部１２０は、ステップＳ２０５で行われたディスク表面の検査結果ＣＨＫの値と、ステップＳ２０３又はＳ２０４で設定された閾値ＴＨの値との比較を行う（ステップＳ２０６：検査結果ＣＨＫと閾値ＴＨとの比較）。そして、検査結果ＣＨＫが閾値ＴＨ以上である場合（ＣＨＫ≧ＴＨ）には、ディスク表面の拭き取りが必要なことを示す報知を行い（ステップＳ２０７：ディスクの拭き取りが必要なことを報知）、検査結果ＣＨＫが閾値ＴＨより小さい場合（ＣＨＫ＜ＴＨ）には、ディスク表面の拭き取りが不要なことを示す報知を行う（ステップＳ２０８：ディスクの拭き取りが不要なことを報知）。なお、検査結果ＣＨＫが閾値ＴＨより小さい場合（ＣＨＫ＜ＴＨ）には、必ずしもディスク１００の拭き取りが不要なことを報知する必要はなく、ステップＳ２０８で、特に何も報知せずに動作を終了することも可能である。
【００３４】
また、図３は、本発明の実施の形態に係る記録再生装置において、ディスク表面の拭き取りが必要なことを示す旨が表示された表示画面の一例を示す図である。図２に示すフローチャートの動作によって、閾値ＴＨ以上の大きさを有する汚損がディスク表面に発見された場合には、記録再生装置１１０は、図３に示すように『このディスクの外周部分に存在する汚れを拭き取って下さい。』などのように、ユーザにディスク１００の拭き取りを促すメッセージを報知する。なお、ステップＳ２０５で行われるディスク表面の検査では、ディスク表面の汚損が存在する箇所を把握することが可能であり、ディスク表面の拭き取りが必要なことを報知するとともに、例えば、ディスク表面に付着している汚損の箇所を視覚的に示してもよい。
【００３５】
また、図３に示すように、検査対象のディスク１００にハードコート処理が施されているか否かを報知してもよい。これによって、例えば、ハードコート処理が施されていないディスク１００の場合に、ディスク１００の拭き取りの際の取り扱いに係る注意を喚起することが可能となる。
【００３６】
また、図４は、本発明の実施の形態におけるディスクの拭き取りの要否を模式的に示す図である。この図４には、上述の動作によって図２に示すフローチャートのステップＳ２０３又はステップＳ２０４で設定される閾値ＴＨ、及び図２に示すフローチャートのステップＳ２０６で得られる検査結果ＣＨＫと、ディスク１００の拭き取りの必要性の有無との関係が模式的に示されている。
【００３７】
図４の横軸には、図２に示すフローチャートのステップＳ２０６で得られる検査結果ＣＨＫの値が示されている。また、この検査結果ＣＨＫは、ディスク表面の汚損の大きさ（例えば、ディスク表面に存在する最大の汚損の大きさ）であり、図４の横軸の下には、検査結果ＣＨＫを径の長さとする円によって、検査結果ＣＨＫに対応する大きさの汚損が模式的に示されている。上述の動作によって、図４に示すように、検査結果ＣＨＫが閾値ＴＨ以上の場合には、ディスク表面の拭き取りが必要と判断され、検査結果ＣＨＫが閾値ＴＨより小さい場合には、ディスク表面の拭き取りが不要と判断される。
【００３８】
なお、上述の動作では、検査結果ＣＨＫを１つの閾値ＴＨと比較して、ディスク表面の拭き取りの要否を判断しているが、ＴＨ＿Ａ、ＴＨ＿Ｂのそれぞれに２つ以上の値を用意して、検査結果ＣＨＫとの比較を行うことも可能である。この場合、例えば、検査結果ＣＨＫを２つの閾値ＴＨと比較した場合には、『ディスク表面の拭き取りが必要』、『ディスク表面の拭き取りが不要』という判断結果のほかに、これらの中間として、『ディスク表面の拭き取りを推奨』などの判断結果が設定される。
【００３９】
以上、説明したように、本発明によれば、ディスク１００にハードコート処理が施されているか否かを判別し、ディスク１００にハードコート処理が施されている場合には、ディスク表面の汚損の検査を行い、汚損の大きさに応じてディスク表面の拭き取りの要否を判断して、その判断結果をユーザに報知することが可能となる。また、ディスク１００にハードコート処理が施されていない場合においても同様に、ディスク表面の汚損の大きさに応じてディスク表面の拭き取りの要否を判断して、その判断結果をユーザに報知することも可能である。また、ハードコート処理の有無に応じて、ディスク表面の拭き取りの要否を決定する基準（閾値ＴＨ）を変えることも可能である。
【００４０】
次に、図５を参照しながら、ディスク１００にハードコート処理が施されているか否かを判別する動作について説明する。図５は、本発明の実施の形態におけるディスクにハードコート処理が施されているか否かを判別する動作の詳細を示すフローチャートである。なお、図５に示すフローチャートは、図２のＡの部分（図２に示すフローチャートのＳ２０２）の動作の詳細を表している。
【００４１】
図２に示すステップＳ２０１における処理の後、記録再生装置１１０は、ディスク１００上の所定のデータ記録箇所にあらかじめ格納されている物理情報を読み取り（ステップＳ２０２１：ディスクの物理情報を読み取る）、この物理情報にハードコート情報領域が存在するか否かを判別する（ステップＳ２０２２：ハードコート情報領域の有無）。このハードコート情報領域は、例えば、ディスク１００の製造メーカによってディスク製造時に設定される１ビットの情報記録領域である。そして、ハードコート処理が施されたディスク１００には、ハードコート情報領域に１（フラグ）が設定され、ハードコート処理が施されていないディスク１００には、ハードコート情報領域に０が設定される。
【００４２】
ディスク１００の物理情報にハードコート情報領域が存在する場合には、さらに、フラグが設定されているか否かを読み取り（ステップＳ２０２３：フラグの有無）、フラグが存在する場合には、ディスク１００にハードコート処理が施されている旨を把握して、図２に示すステップＳ２０３に進む。また、フラグが存在しない場合には、ディスク１００にハードコート処理が施されていない旨を把握して、図２に示すステップＳ２０４に進む。
【００４３】
一方、ディスク１００の物理情報にハードコート情報領域が存在しない場合には、ディスク１００に記録されている他の判別情報に基づいて、ハードコート処理が施されているか否かの判別を試みる。すなわち、記録再生装置１１０は、ディスク１００から任意の判別情報を取得する（ステップＳ２０２４：他の判別情報を取得）とともに、記録再生装置１１０が参照可能な状態で存在する所定の対応テーブルを参照する（ステップＳ２０２５：対応テーブルを参照）。そして、参照結果が、ディスク１００にハードコート処理が施されていることを示す場合には、図２に示すステップＳ２０３に進み、ディスク１００にハードコート処理が施されていないことを示す場合には、図２に示すステップＳ２０４に進む。
【００４４】
ここで、上記の判別情報と対応テーブルとの関係について説明する。判別情報としては、例えば、ディスク１００の種類に関連したバージョン情報や、ディスク１００の商品識別番号などが利用可能である。ディスク１００の種類に関連したバージョン情報を利用する例では、例えば、ＢＤの場合には、判別情報としてＢＤの規格のバージョン情報が利用可能である。ＢＤの規格がバージョン１．０の場合には、ディスク１００は、カートリッジによって保護されており、ハードコート処理が施されていないとみなすことができる。また、ＢＤの規格がバージョン２．０以降の場合には、ディスク１００が、ハードコート処理を施さなければ実現不可能な程度の硬度を有する旨が規定されており、ディスク１００にハードコート処理が施されているとみなすことができる。したがって、記録再生装置１１０は、『ＢＤのバージョン１．０＝ハードコート処理無し』、『ＢＤのバージョン２．０以降＝ハードコート処理有り』という情報が記載された所定の対応テーブルを参照することによって、ＢＤの規格のバージョン情報を判別情報として、ディスク１００のハードコート処理の有無を判別することが可能となる。
【００４５】
また、ディスク１００の商品識別番号を利用する例では、例えば、記録再生装置１１０が参照する所定の対応テーブルに、ディスク１００の商品識別番号とハードコート処理の有無の対応関係を記載しておくことによって、記録再生装置１１０は、ディスク１００の商品識別番号を判別情報として、ディスク１００のハードコート処理の有無を判別することが可能となる。
【００４６】
なお、例えば、製造メーカが、この対応テーブルを記録再生装置１１０内の所定の対応テーブル格納部（不図示）にあらかじめ格納することによって、記録再生装置１１０が、対応テーブルを参照できるようにしてもよく、また、記録再生装置１１０にネットワークに接続するための通信機能を設けることによって、記録再生装置１１０が、この通信機能を使って、所定の対応テーブル格納サーバにアクセスして所定の対応テーブル格納サーバ内の対応テーブルを参照したり、定期的又は情報の更新があった場合に所定の対応テーブル格納サーバから配信される対応テーブルを受信して保持したりすることも可能である。
【００４７】
特に、記録再生装置１１０が、通信機能を使って所定の対応テーブル格納サーバから対応テーブルを参照又は取得できるようにすることによって、記録再生装置１１０は、例えば、新たに発売されたディスク１００の商品識別番号とハードコート処理の有無との対応関係の把握が可能になるなど、常に最新の情報を参照することが可能となる。
【００４８】
また、図２のフローチャートでは、ディスク１００にハードコート処理が施されているか否かに応じて閾値ＴＨを変えるようにしているが、さらに、ディスク１００が再生専用及び記録再生用のどちらであるかを判別したり、記録再生装置１１０が記録モード及び再生モードのどちらであるかを判別したりすることによって、閾値ＴＨの設定を行うことも可能である。
【００４９】
まず、図６に示す動作について説明する。図６は、本発明の実施の形態におけるディスク１００の拭き取りの要否を判断するための基準となる閾値ＴＨの設定に係る動作の第１の例を示すフローチャートである。なお、図６に示すフローチャートは、図２のＢの部分（図２に示すフローチャートのステップＳ２０２〜Ｓ２０４）の別の動作例である。
【００５０】
図２に示すステップＳ２０２における処理の後、記録再生装置１１０のハードコート有無判別部１１６は、ディスク１００にハードコート処理が施されているか否かを判別する（ステップＳ６０１：ハードコートの有無）。なお、このディスク１００にハードコート処理が施されているか否かを判別する処理の詳細は、図５を参照しながら説明した上述の動作と同一である。
【００５１】
さらに、ステップＳ６０１においてディスク１００にハードコート処理が施されているか否かによらず、それぞれの場合において、ディスク１００が再生専用か記録再生用かをチェックする（ステップＳ６０２、Ｓ６０３：再生専用）。ディスク１００が再生専用か記録再生用かのチェックは、例えば、ディスク１００の物理情報として記録されている再生専用又は記録再生用を示す情報を参照することによって可能である。なお、上述の動作例と同様に、ハードコート処理が施されていないディスク１００は、ディスク表面の拭き取りが推奨されているものではないとして、そのまま動作を終了してもよい。
【００５２】
上述のステップＳ６０１〜Ｓ６０３までの動作によって、『ハードコート処理有り、再生専用』、『ハードコート処理有り、記録再生用』、『ハードコート処理無し、再生専用』、『ハードコート処理無し、記録再生用』の４つの場合に場合分けが行われる。そして、『ハードコート処理有り、再生専用』の場合には閾値ＴＨにＴＨ＝ＴＨ＿Ｃが設定され（ステップＳ６０４：閾値ＴＨ＝ＴＨ＿Ｃに設定）、『ハードコート処理有り、記録再生用』の場合には閾値ＴＨにＴＨ＝ＴＨ＿Ｄが設定され（ステップＳ６０５：閾値ＴＨ＝ＴＨ＿Ｄに設定）、『ハードコート処理無し、再生専用』の場合には閾値ＴＨにＴＨ＝ＴＨ＿Ｅが設定され（ステップＳ６０６：閾値ＴＨ＝ＴＨ＿Ｅに設定）、『ハードコート処理無し、記録再生用』の場合には閾値ＴＨにＴＨ＝ＴＨ＿Ｆが設定される（ステップＳ６０７：閾値ＴＨ＝ＴＨ＿Ｆに設定）。
【００５３】
このとき、記録再生用ディスクは、再生に加えて記録も行われることからディスク表面の汚損による影響がより大きいことを考慮して、ＴＨ＿Ｃ、ＴＨ＿Ｄ、ＴＨ＿Ｅ、ＴＨ＿Ｆの関係は、ＴＨ＿Ｃ≦ＴＨ＿Ｄ＜ＴＨ＿Ｅ≦ＴＨ＿Ｆとすることが望ましい。上述のように、ディスク１００の記録再生時に問題を起こす可能性のある汚損の大きさは、通常、０．３〜０．６ｍｍ程度であり、例えば、ＴＨ＿Ｃ＝０．３、ＴＨ＿Ｄ＝０．４、ＴＨ＿Ｅ＝０．５、ＴＨ＿Ｆ＝０．６とすることが可能である。また、ディスク１００の種類に応じて異なるＴＨ＿Ｃ、ＴＨ＿Ｄ、ＴＨ＿Ｅ、ＴＨ＿Ｆの値を設定することも可能であり、ＴＨ＿Ｃ、ＴＨ＿Ｄ、ＴＨ＿Ｅ、ＴＨ＿Ｆのそれぞれに２つ以上の値を用意して、検査結果ＣＨＫとの比較を行うようにすることも可能である。
【００５４】
次に、図７に示す動作について説明する。図７は、本発明の実施の形態におけるディスクの拭き取りの要否を判断するための基準となる閾値ＴＨの設定に係る動作の第２の例を示すフローチャートである。なお、図７に示すフローチャートは、図２のＢの部分（図２に示すフローチャートのステップＳ２０２〜Ｓ２０４）の別の動作例である。
【００５５】
図２に示すステップＳ２０２における処理の後、記録再生装置１１０のハードコート有無判別部１１６は、ディスク１００にハードコート処理が施されているか否かを判別する（ステップＳ７０１：ハードコートの有無）。なお、このディスク１００にハードコート処理が施されているか否かを判別する処理の詳細は、図５を参照しながら説明した上述の動作と同一である。
【００５６】
さらに、ステップＳ７０１においてディスク１００にハードコート処理が施されているか否かによらず、それぞれの場合において、ディスク１００が再生専用か記録再生用かをチェックする（ステップＳ７０２、Ｓ７０３：再生専用）。このディスク１００が再生専用か記録再生用かのチェックは、例えば、ディスク１００の物理情報として記録されている再生専用又は記録再生用を示す情報を参照することによって可能である。なお、上述の動作例と同様に、ハードコート処理が施されていないディスク１００は、ディスク表面の拭き取りが推奨されているものではないとして、そのまま動作を終了してもよい。
【００５７】
また、さらに、ステップＳ７０２及びステップＳ７０３のそれぞれにおいて、ディスク１００が記録再生用の場合には、記録再生装置１１０が、再生モードか記録モードかをチェックする（ステップＳ７０４、Ｓ７０５：再生モード）。記録再生装置１１０は、再生モードか記録モードかをチェックすることによって、ユーザがディスク１００の再生を行おうとしているのか、あるいはディスク１００への記録を行おうとしているのかを判断することが可能となる。
【００５８】
上述のステップＳ７０１〜Ｓ７０５までの動作によって、『ハードコート処理有り、再生専用』、『ハードコート処理有り、記録再生用、再生モード』、『ハードコート処理有り、記録再生用、記録モード』、『ハードコート処理無し、再生専用』、『ハードコート処理無し、記録再生用、再生モード』、『ハードコート処理無し、記録再生用、記録モード』の６つの場合に場合分けが行われる。そして、『ハードコート処理有り、再生専用』の場合には閾値ＴＨにＴＨ＝ＴＨ＿Ｇが設定され（ステップＳ７０６：閾値ＴＨ＝ＴＨ＿Ｇに設定）、『ハードコート処理有り、記録再生用、再生モード』の場合には閾値ＴＨにＴＨ＝ＴＨ＿Ｈが設定され（ステップＳ７０７：閾値ＴＨ＝ＴＨ＿Ｈに設定）、『ハードコート処理有り、記録再生用、記録モード』の場合には閾値ＴＨにＴＨ＝ＴＨ＿Ｉが設定され（ステップＳ７０８：閾値ＴＨ＝ＴＨ＿Ｉに設定）、『ハードコート処理無し、再生専用』の場合には閾値ＴＨにＴＨ＝ＴＨ＿Ｊが設定され（ステップＳ７０９：閾値ＴＨ＝ＴＨ＿Ｊに設定）、『ハードコート処理無し、記録再生用、再生モード』の場合には閾値ＴＨにＴＨ＝ＴＨ＿Ｋが設定され（ステップＳ７１０：閾値ＴＨ＝ＴＨ＿Ｋに設定）、『ハードコート処理無し、記録再生用、記録モード』の場合には閾値ＴＨにＴＨ＝ＴＨ＿Ｌが設定される（ステップＳ７１１：閾値ＴＨ＝ＴＨ＿Ｌに設定）。
【００５９】
このとき、記録再生用ディスクは、再生に加えて記録も行われることからディスク表面の汚損による影響がより大きいこと、及び特にディスク１００の記録時にディスク表面の汚損による影響がより大きいことを考慮して、ＴＨ＿Ｇ、ＴＨ＿Ｈ、ＴＨ＿Ｉ、ＴＨ＿Ｊ、ＴＨ＿Ｋ、ＴＨ＿Ｌの関係は、ＴＨ＿Ｉ＜ＴＨ＿Ｈ≦ＴＨ＿Ｇ＜ＴＨ＿Ｌ≦ＴＨ＿Ｋ＜ＴＨ＿Ｊとすることが望ましい。上述のように、ディスク１００の記録再生時に問題を起こす可能性のある汚損の大きさは、通常、０．３〜０．６ｍｍ程度であり、例えば、ＴＨ＿Ｇ＝０．４、ＴＨ＿Ｈ＝０．４、ＴＨ＿Ｉ＝０．３、ＴＨ＿Ｊ＝０．６、ＴＨ＿Ｋ＝０．５、ＴＨ＿Ｌ＝０．５とすることが可能である。また、ディスク１００の種類に応じて異なるＴＨ＿Ｇ、ＴＨ＿Ｈ、ＴＨ＿Ｉ、ＴＨ＿Ｊ、ＴＨ＿Ｋ、ＴＨ＿Ｌの値を設定することも可能であり、ＴＨ＿Ｇ、ＴＨ＿Ｈ、ＴＨ＿Ｉ、ＴＨ＿Ｊ、ＴＨ＿Ｋ、ＴＨ＿Ｌのそれぞれに２つ以上の値を用意して、検査結果ＣＨＫとの比較を行うようにすることも可能である。
【００６０】
また、図２のフローチャートでは、ディスク１００にハードコート処理が施されているか否かに応じて閾値ＴＨを変えるようにしているが、さらに、ディスク１００が再生専用及び記録再生用のどちらであるかを判別したり、記録再生装置１１０が再生モード及び記録モードのどちらであるかを判別したりすることによって、閾値ＴＨの設定を行うことも可能である。
【００６１】
なお、本明細書では、ディスク１００に記録されている情報を再生するとともに、ディスク１００に情報を記録することも可能な記録再生装置１１０を例に挙げて説明を行ったが、ディスク１００に記録されている情報を再生することのみ可能な再生装置に本発明を適用することは、当業者にとって容易である。
【００６２】
また、上述の実施の形態によれば、本発明の目的を達成するため、光ディスクに格納されている情報の再生を行うディスク再生装置、及び、光ディスクに情報を記録するとともに光ディスクに格納されている情報の再生を行うディスク記録再生装置の少なくとも一方と、ネットワークを通じて通信を行う情報供給サーバであって、
前記ディスク再生装置及び前記ディスク記録再生装置の少なくとも一方に対して、前記ディスク再生装置及び前記ディスク記録再生装置の少なくとも一方が前記光ディスクの所定の情報領域から読み取られた情報に基づいて前記光ディスクの光入射面にハードコート処理が施されているか否かの判断を行う際に使用される対応テーブル情報であり、前記光ディスクの所定の情報領域から読み取られた情報と前記光ディスクの光入射面にハードコート処理が施されているか否かを示す情報との対応関係が記載された前記対応テーブル情報を供給する情報供給手段を有する情報供給サーバ、及び、前記ディスク再生装置及び前記ディスク記録再生装置の少なくとも一方と前記情報供給サーバとにより構成されるネットワーク通信システムが提供可能である。
【産業上の利用可能性】
【００６３】
本発明は、ユーザに対して、ディスクの拭き取りの要否を適切に指示することができるという効果を有し、特に、拭き取りが可能なようにハードコート処理されたディスクの利点を十分に活用し、ハードコート処理が施されたディスクの拭き取りの要否を適切なタイミングで指示することができるという効果を有しており、情報を格納するための可搬性の光ディスクに関連する技術に適用可能であり、特に、ハードコート処理が施されている光ディスクに関連する技術に適用可能である。
【図面の簡単な説明】
【００６４】
【図１】本発明の実施の形態に係る記録再生装置の構成例を示すブロック図である。
【図２】本発明の実施の形態における動作の一例を示すフローチャートである。
【図３】本発明の実施の形態に係る記録再生装置において、ディスク表面の拭き取りが必要なことを示す旨が表示された表示画面の一例を示す図である。
【図４】本発明の実施の形態におけるディスクの拭き取りの要否を模式的に示す図である。
【図５】本発明の実施の形態におけるディスクにハードコート処理が施されているか否かを判別する動作の詳細を示すフローチャートである。
【図６】本発明の実施の形態におけるディスクの拭き取りの要否を判断するための基準となる閾値ＴＨの設定に係る動作の第１の例を示すフローチャートである。
【図７】本発明の実施の形態におけるディスクの拭き取りの要否を判断するための基準となる閾値ＴＨの設定に係る動作の第２の例を示すフローチャートである。
【符号の説明】
【００６５】
１００  ディスク（光ディスク）
１１０  記録再生装置
１１１  光ピックアップ
１１２  サーボ信号処理部
１１３  信号記録回路
１１４  信号再生回路
１１５  メディア種類判別部
１１６  ハードコート有無判別部
１１７  閾値設定部
１１８  閾値格納部
１１９  汚損検査部
１２０  比較部（拭き取り要否決定部）
１２１  報知部
【図１】
2006172602.tif 000003
【図２】
2006172602.tif 000004
【図３】
2006172602.tif 000005
【図４】
2006172602.tif 000006
【図５】
2006172602.tif 000007
【図６】
2006172602.tif 000008
【図７】
2006172602.tif 000009